(57)【要約】【課題】コンパクトで、持ち運びがしやすく、野外でも室内でも使用でき、大人も子供も使用でき、また足腰が弱い人でも手軽に使用できる鍛練用蹴球具を提供する。【解決手段】両端に棒を通す穴と全体の長さを調整する調整具とを有するベルトと、前記ベルトに通すベルト通しと先端部にフック部を接続した紐と前記紐の長さを任意の長さで固定するストッパーとを有するリードと、前記フック部に接続する接続部を付属する球体とを有する構成とする。【選択図】図１
2013240462.tif 000002
【特許請求の範囲】
【請求項１】
両端に棒を通す穴と全体の長さを調整する調整具とを有するベルトと、前記ベルトに通すベルト通しと先端部にフック部を接続した紐と前記紐の長さを任意の長さで固定するストッパーとを有するリードと、前記フック部に接続する接続部を付属する球体とを有することを特徴とする鍛練用蹴球具。
【請求項２】
前記球体が、内部に空気を入れて膨らませる球体であって、空気を球体内に導入する空気取入口及び前記空気取入口を塞ぐふた部を有し、前記ふた部が前記接続部に接続してあることを特徴とする請求項１記載の鍛練用蹴球具。
【請求項３】
さらに、長さを調整する伸縮調整具を有する一対の棒を付属することを特徴とする請求項１又は請求項２に記載の鍛練用蹴球具。
【請求項４】
前記棒が、前記ベルトの両端にある穴に差し込んで固定するベルト固定具を有することを特徴とする請求項３に記載の鍛練用蹴球具。
【発明の詳細な説明】
【技術分野】
【０００１】
本発明は、鍛練用蹴球具に関し、詳しくは一人でボールを繰り返し蹴り出して運動する鍛練用蹴球具に関する。
【背景技術】
【０００２】
これまで、一人でボールを繰り返し蹴り出すための道具として、サッカーボールをサッカーボール収納体に収納しサッカーボールを激しく蹴っても移動しない程度に十分な重量のある固定盤を使用してキックの練習を行うサッカー練習器具などがあった（例えば、特許文献１参照）。
【先行技術文献】
【特許文献】
【０００３】
【特許文献１】特開２００７−８２５７９号公報
【発明の概要】
【発明が解決しようとする課題】
【０００４】
しかし、特許文献１のような従来の練習用具では、スポーツ選手の練習には適するが、足腰が弱い一般の人や高齢者や子供が足腰を強化するには適さないという問題があった。また、大掛かりな道具や重い道具が必要であるという問題があった。
【０００５】
本発明は従来の上記実情に鑑みてなされたものであり、従って本発明は、足腰が弱い人でも手軽に使用できる鍛練用蹴球具を提供することを目的とする。
【課題を解決するための手段】
【０００６】
本発明の第１の態様は、両端に棒を通す穴と全体の長さを調整する調整具とを有するベルトと、前記ベルトに通すベルト通しと先端部にフック部を接続した紐と前記紐の長さを任意の長さで固定するストッパーとを有するリードと、前記フック部に接続する接続部を付属する球体とを有することを特徴とする鍛練用蹴球具を提供する。
【０００７】
前記球体が、内部に空気を入れて膨らませる球体であって、空気を球体内に導入する空気取入口及び前記空気取入口を塞ぐふた部を有し、前記ふた部が前記接続部に接続してあることが好ましい。
【０００８】
さらに、長さを調整する伸縮調整具を有する一対の棒を付属することが好ましい。
【０００９】
前記棒が、前記ベルトの両端にある穴に差し込んで固定するベルト固定具を有することが好ましい。
【発明の効果】
【００１０】
本発明の鍛練用蹴球具によれば、足腰が弱い人でも手軽に使用できる。本発明の鍛練用蹴球具は、持ち運びが容易で、また場所をとらないので、野外のほか、室内でも使用することができる。
【図面の簡単な説明】
【００１１】
【図１】本発明の実施例１の鍛練用蹴球具の使用例を示す図である。
【図２】本発明の実施例１の鍛練用蹴球具のベルト及びリードの概略図である。
【図３】本発明の実施例１の鍛練用蹴球具のベルト及びリードの接続説明図である。
【図４】本発明の実施例１の鍛練用蹴球具のリード及び球体の接続説明図である。
【図５】本発明の実施例１の鍛練用蹴球具のセットアップ方法を示す図である。
【図６】本発明の実施例１の鍛練用蹴球具の使用方法を示す図である。
【図７】本発明の実施例１の鍛練用蹴球具の使用方法を示す図である。
【発明を実施するための形態】
【００１２】
以下、本発明の鍛練用蹴球具の好ましい実施形態について、実施例を用いて具体的に説明する。
【実施例１】
【００１３】
図１は、本発明の実施例１の鍛練用蹴球具の使用例を示す図である。本実施例の鍛練用蹴球具１は、両端に棒５を通す穴２２と全体の長さを調整する調整具２１とを有するベルト２と、ベルト２に通すベルト通し３１と先端部にフック部３２１を接続した紐３２と紐３２の長さを任意の長さで固定するストッパー３３とを有するリード３と、前記フック部３２１に接続する接続部４１を付属する球体４とを有する。
【００１４】
図２は、本発明の実施例１の鍛練用蹴球具のベルト及びリードの概略図である。ベルト２の穴２２は、両端を折り返して、折り返した先端を本体に縫い付けて、折り返して輪状となった部分である。また、ベルト２の調整具２１は、使用者の肩幅にベルト全体の長さを調節するもので、折り返す長さを調節して固定するバックル等が挙げられる。リード３はベルト２の中央に配置する。リード３の紐３２は、リード３内部に収納されており、手で引き出すことにより長くできる。引き出された紐３２は手を放すと再びリード３内に収納されるが、紐３２の長さが任意の長さとなったところでストッパー３３をスライドしてロックすることで、紐３２がリード３内に収納されず、その長さで固定される。使用後は、ストッパー３３を逆方向にスライドしてロックを解除することで、紐３２はリード３内に収納される。ベルト２は伸び縮みしにくい丈夫な布又は合成繊維製であることが好ましい。リード３の外側部分は軽量なプラスチック等が好ましい。
【００１５】
図３は、本発明の実施例１の鍛練用蹴球具のベルト及びリードの接続説明図である。リード３の裏側には、リード３をベルト２に通すためのベルト通し３１があり、２個のベルト通し３１で、リード３はベルト２に安定して固定される。
【００１６】
図４は、本発明の実施例１の鍛練用蹴球具のリード及び球体の接続説明図である。本実施例では、球体４は、内部に空気を入れて膨らませる球体であって、空気を球体内に導入する空気取入口４２及び空気取入口４２を塞ぐふた部４３を有し、ふた部４３が接続部４１に接続してある。ふた部４３はゴム栓であることが好ましい。球体４には、使用開始時にストロー等で空気取入口４２から空気を球体内に入れて膨らませてふた部４３で空気取入口４２を塞ぎ、中の空気が漏れることを防止する。本実施例では、空気取入口４２の穴は直径６ｍｍで市販の直径６ｍｍのストローを用いて空気を入れることができるが、これに限定されない。リード３の紐３２は、先端部にフック部３２１が接続してある。球体４は、フック部３２１に接続する接続部４１を付属する。接続部４１は中央に穴が設けてあり、かかる穴にフック部３２１のフックを通して止める。フック部３２１はナスカン等が好ましい。
【００１７】
フック部３２１は球体４に接続して球体４を激しく揺らしても外れないようにしてある。一方、使用後は手で容易に球体４を接続部４１から取り外すことができるようにしてある。球体４はゴム成形品等の弾力性があって柔らかい素材が好ましく、接続部４１は球体４と同じ素材で球体４の外側に突出して溶着してあることが好ましい。本実施例では、球体４は直径２５０ｍｍであるが、これに限定されない。
【００１８】
球体４は、中実体であってもよいが、本実施例によれば、使用後は、接続部４１から球体４を外し、ふた部４３を開けて球体４内の空気を出し、平面にして折り畳みコンパクトにすることができる。ふた部４３は接続部４１に紐などで接続されているので紛失するおそれがない。リード３の紐３２を収納して、ベルト２を折りたたむと、鍛練用蹴球具１は全体として非常にコンパクトになり、また大変軽く、持ち運び自在となる。
【００１９】
図５は、本発明の実施例１の鍛練用蹴球具のセットアップ方法を示す図である。ベルト２の長さを肩幅に調整して、肘を直角に曲げた高さにベルト２の高さを調節し、この高さで棒５を握る。握るときに棒５を上から又は下からではなく、左右のサイドから順手で握ることが好ましい。特に上から握ると棒５に体重をかけてしまって片足でキックする運動効果が減る。ベルト２の穴２２に棒の先端を通して、通した部分で棒を握ってもよい。棒は手元にある通常の棒でもよいので、いつでもどこでも手軽に楽しめる。
【００２０】
一般的な棒の代わりに、本実施例の鍛練用蹴球具１には、長さを調整する伸縮調整具を有する一対の棒を付属することが好ましい。長さを調整することにより、棒の先端がちょうど肘を直角に曲げた高さに調整できる。伸縮調整具はカメラの三脚等についているアジャスターと同様の機構を有する。また、棒は、その先端に、ベルト２の両端にある穴２２に差し込んで固定するベルト固定具を有することが好ましい。ベルト固定具は、棒５の先端にあるストッパー付の二股部で、握り部分の一部が長軸方向に二股に裂けていて、一方が針状になっていてベルト２の穴２２にこの針状部分を通して挟み込み、抜け落ちないように固定する。ストッパーはプッシュボタンを押すことで挟み込んだベルト２を押さえる。したがって、ベルト２が棒からずれ落ちるおそれがなくなる。
【００２１】
図６は、本発明の実施例１の鍛練用蹴球具の使用方法を示す図である。球体４を片足で繰り返し蹴って使用する。球体４は、蹴ると振り子のように持ち上がり、またもとの位置に戻ってくる。片足で蹴ることにより、足腰が鍛えられる。つま先で蹴るほか、足の内横側で蹴ってもよい。これにより股関節の強化もできる。さらには、美脚効果もあり、リズム感の向上、体力の向上、集中力アップ、ストレス解消、認知症予防の効果もある。ベルトの両端を握って体の位置を固定することによって、体のブレを防止でき、力がなくても連続キックがしやすい。高さを調整すれば、椅子に座って行うこともできるので、立てないほど弱っている人でも楽しめる。
【００２２】
図７は、本発明の実施例１の鍛練用蹴球具の使用方法を示す図である。図６は蹴りだす時の状態を横から見た概略図であり、図７は、図６と同じ蹴りだす時の状態を上から見た概略図である。例えば、肩幅５００ｍｍの人が直径２５０ｍｍのボールのセンターを蹴り出すには、股関節を後ろへ１５°引いてつま先をセンターに向けて振り出す。このような股関節のひねりが安定したボールコントロールを可能とする。したがって、本実施例の鍛練用蹴球具を使用することにより、ユーザーは股関節が鍛えられる。
【００２３】
本発明の実施例１の鍛練用蹴球具によれば、足腰が弱い人でも手軽に使用できる。コンパクトで、持ち運びがしやすく、また場所をとらないので、野外のほか、室内でも使用することができる。高さが制限されず、力もいらないので、大人も子供も使用できる。また、股関節も鍛えることができる。立った状態でも座った状態でも足腰を鍛えられる。
【００２４】
なお、本発明は、上記実施の形態に限定されず、その発明の趣旨を逸脱しない範囲で種々と変形実施が可能である。また、上記各実施の形態の構成要素を発明の趣旨を逸脱しない範囲で任意に組み合わせることができる。
【符号の説明】
【００２５】
１      鍛練用蹴球具
２      ベルト
２１    調整具
２２    穴
３      リード
３１    ベルト通し
３２    紐
３２１  フック部
３３    ストッパー
４      球体
４１    接続部
４２    空気取入口
４３    ふた部
５      棒
【図２】
2013240462.tif 000003
【図７】
2013240462.tif 000004
【図１】
2013240462.tif 000005
【図３】
2013240462.tif 000006
【図４】
2013240462.tif 000007
【図５】
2013240462.tif 000008
【図６】
2013240462.tif 000009